(57)【要約】      （修正有）【課題】便座と排泄物受けとしての鉢を一体化にし、排便中に発生した臭気を換気扇の力で便器、タンク、脱臭装置という密封した通路を通して直接脱臭装置に送り込んで脱臭することにより、排泄物収納タンク容量が大きく、複数回の使用が可能になり、水による局部洗浄に余裕が生まれ、衛生的で快適になり、排泄物の一時密封保存と運搬にタンクが機能し、簡単に着脱交換洗浄が可能なスポンジフィルターを使用し、脱臭性能を保ち、強固なフレームの支えにより普段椅子としても利用できる介護用ポータブル脱臭トイレの提供。【解決手段】便座と鉢を一体化にした便器ａの漏斗通路を、排泄物収納タンクｃの入り口に挿入させ、排泄物をタンクｃに収納する一方、タンクｃのもう一方の出口を脱臭装置ｄの空気吸入口に挿入させ、排便中に発生した臭気を脱臭装置に備え付けた換気扇の吸引力によって便座から収納タンクを通して脱臭装置に送り込んで脱臭させる。【選択図】図１
2010119821.tif 000002
【特許請求の範囲】
【請求項１】
入り口ｃ−１と出口ｃ−３の両端を有する密封したタンクの一端ｃ−１に、排泄物受け鉢を備えた便器ａの鉢底部の漏斗状通路ａ−７を挿入させ、タンクのもう一端の出口ｃ−３を、脱臭機能を有する装置ｄ−４に挿入させ、脱臭装置ｄの換気ファンの稼動により排便中の便器内の臭気をタタンクｃを通して脱臭装置ｄに送り込み、脱臭して換気口ｄ−６から放出し、よって排便時の臭気を無くすという構造の脱臭トイレ。
【請求項２】
便座と鉢を一体化にした便器ａ、この便器ａの排泄物受け鉢ａ−６の前方の則面ａ−５と後方の則面ａ−８の形をそれぞれ異なるものにし、小便の飛び散り防止と大便のスムーズな移動を図る。便器ａの漏斗部分ａ−７には排泄物の重さで開合する弁ａ−９を備え付け、タンクから臭気の逆流を防止し、排泄物がタンク内に落下する際の緩衝作用を働く。排泄物収納タンクｃの二つの口ｃ−１とｃ−３にそれぞれ専用キャップを備え、排泄物の密封保存と運搬に役立つ。
【請求項３】
換気扇の稼動により、臭気は便器ａからタンクｃを通して脱臭装置ｄに吸い込こまれ、一旦脱臭装置ｄ−４の脱臭フィルターで脱臭され、さらに脱臭装置のｄ−２で脱臭され、排出口ｄ−６から放出される。ｄ−４の脱臭フィルターは着脱簡単で、常に水洗可能である。
【発明の詳細な説明】
【技術分野】
【産業上の利用分野】
【０００１】  本発明は、移動できる介護用トイレとして、排便中の臭気を、底部に漏斗状通路を有する鉢と一体化した便器から、排泄物を収納する密封した容器を通して脱臭装置に送り込み、脱臭し、同時に大容量排泄物収納タンクの採用により多量の水での局部洗浄を可能にし、使用者の衛生管理に寄与する、という介護用ポータブル脱臭トイレに関する。
【背景技術】
【０００２】  今までの介護用トイレはその使用中または使用後の排泄物の保存および運搬処理中に不愉快な臭いを空気中に散布してしまい、排泄物容器の容量が小さいため常に迅速の処理を余儀なくされる。移動性がよく、水での局部洗浄可能な、脱臭機能完備かつ廉価な介護用ポータブル脱臭トイレの開発が求められている。
【発明の開示】
【発明が解決しようとする課題】
【０００３】  本発明は、いかに排便中の臭気を周りに散布する前に効率よく脱臭装置に送り込み脱臭するかを課題として、便座と排泄物受け鉢を一体化にし、換気ファンの吸引力により、臭気を便器から排泄物収納タンクを通して、一直線に脱臭装置に送り込んで脱臭するという構造を考えるものである。
【課題を解決するための手段】
【０００４】  そこで本発明は、便座カバーｂを有する便座ａ−１と、底部に漏斗状通路ａ−７を有する鉢ａ−６を一体化にし、これを椅子状フレームｆに固定し、この便器の漏斗状通路ａ−７を、排泄物を収納するタンクｃの入り口ｃ−１に挿入させ、タンクｃのもう一端の出口ｃ−３を脱臭装置ｄ−４のスポンジフィルターに挿入させ、便器、タンク、脱臭装置という経路を形成させて、臭気を便器ａからタンクｃを通して脱臭装置ｄに送り込み、脱臭するのを図る。椅子状フレームに備えた籠に洗浄用水を入れたペットボトルを常備し、排泄後局部洗浄と便器ａの洗浄を行い、透明タンクの着脱が簡単なため、タンク内の収容物が一定量に達した時タンクをはずして処理する。
【発明の効果】
【０００５】  本発明は使用中も使用後も脱臭できる一方、大容量タンクのため、複数回の使用が可能になり、処理に追われずにすみ、運搬中タンクにキャップを閉めつけて収納物の漏洩がないように工夫する。脱臭装置のフィルターは簡単に取替え水洗できるので、脱臭効果の保持とコスト削減に利点を持つ。なお便座カバーの強度を強め、排便以外の時も椅子として使用可能で、また洗浄用ペットボトルを備え付けて使用者の利便さを向上させる。
【発明を実施するための最良の形態】
【０００６】  便器の鉢の漏斗部分ａ−７を、排泄物収納タンクｃのｃ−１に挿入させ、タンク出口ｃ−３を脱臭装置ｄの脱臭スポンジｄ−４に挿入させ、換気ファンの吸引で臭気は便座から脱臭装置へという一直線の密閉通路を経て脱臭装置に送り込まれる。小便の飛び散り防止と大便のタンクｃへのスムーズな移行を図るため、鉢の前方ａ−５と後方ａ−８の形を異なるものにする。鉢の漏斗部ａ−７に、排泄物の重さで開合する開合弁ａ−９を備え付け、臭気の逆流と排泄物収納際の緩衝作用を働かせる。排泄物の一時保管および処理のための運搬中にタンクｃの二つの出入り口ｃ−１とｃ−３にそれぞれキャップを閉めつけ、収納物を外に漏らさないようにする。
【実施例】
【０００７】  排泄物収納タンクのサイズに合わせて椅子状フレームｆに備え付けたタンクトレイｇの高さおよび脱臭装置ｄ−１の位置を調整することができる。よって収納タンクの交換性を高め、一般市販されているポリタンクも使用可能になる。フレームｆに備え付けた籠ｅにペットボトルを常備し、局部の洗浄と便器の洗浄に利用する。便座カバーｂに座布団を備え普段ベンチとしても使える。
【産業上の利用可能性】
【０００８】  なるべく構造単純、使用簡単、機能完備を図ったため、老人介護、一般家庭、アウトドア、長距離バス、公共場所などに使用できる場所が広い。便座と鉢の一体化により製造コストが削減され、収納タンクが市販されている類似なものを市場で調達できるという利点もある。
【図面の簡単な説明】
【０００９】
【図１】  介護用ポータブル脱臭トイレ全体概観図
【図２】  便座と鉢を一体化にした便器の概観図
【図３】  脱臭装置構造図
【図４】  排泄物収納タンクと固定用トレイ概観図
【符号の説明】
【００１０】  ａ      鉢と便座を一体化にした便器
ａ−１  便座
ａ−２  便座の縁
ａ−３  従来の便器との接合部
ａ−４  便座カバーとの接合部
ａ−５  小便を受ける鉢の則面
ａ−６  排泄物受け鉢
ａ−７  鉢の漏斗通路
ａ−８  大便を受ける鉢の則面
ａ−９  漏斗に装着した開合弁
ｂ      便座カバー
ｂ−１  便座カバーの表面
ｂ−２  便座カバーの縁
ｃ      排泄物が観察できる透明タンク
ｃ−１  排泄物の導入部
ｃ−２  着脱運搬用の取っ手部分
ｃ−３  脱臭装置につなぐ臭気排出部
ｃ−４  導入部のキャップ
ｃ−５  排出部のキャップ
ｄ      脱臭装置
ｄ−１  椅子状フレームｆに固定する金具
ｄ−２  最終脱臭フィルター
ｄ−３  排気ファン駆動用充電電池
ｄ−４  臭気導入部脱臭スポンジ
ｄ−５  換気ファン
ｄ−６  脱臭装置空気排出口
ｄ−７  電源コード
ｄ−８  電源スイッチ
ｅ      お尻洗浄用ペットボトルなどのもの入れ籠
ｅ−１  フレームに取り付けるためのとめ具
ｅ−２  備品のペットボトル
ｅ−３  トイレットペーパー
ｆ      便器を支えるための椅子状フレーム
ｇ      タンクｃを乗せ、高さ、長さ調節し、固定するトレイ
ｇ−１  高さ調整可能な固定用留め具、
【図１】
2010119821.tif 000003
【図２】
2010119821.tif 000004
【図３】
2010119821.tif 000005
【図４】
2010119821.tif 000006